(57)【要約】【課題】本発明は、電気コネクタ組立体を提供し、特に開放操作及び係合操作を有効に完了できる固着部材を有する電気コネクタ組立体を提供することを目的とする。【解決手段】本発明の電気コネクタ組立体は複数の導電端子（図示せず）を収容するコネクタ本体及び固着部材を含む。固着部材はコネクタ本体を収容する矩形枠組みと、矩形枠組みの一側にピン継手されピン継手する辺を囲い枠組みに対して回転する係合具と、矩形枠組みの他の一側に取り付けられ係合具と係合する駆動具と、を含む。該駆動具は湾曲部を有する曲線材及び該曲線材に対して概略垂直な操作レバーを含む。矩形枠組みの駆動具を取り付ける一側に曲線材が貫通するための収容溝を有する固着ブロックが設けられる。枠組みの固着ブロックと隣接する所に位置決め弾性片が設けられ、該弾性片の一端は枠組みに固着され、他の一端は曲線材上に懸垂される。【選択図】　　　図３
2004063452.tif 000002
【特許請求の範囲】
【請求項１】
複数の導電端子を収容するコネクタ本体と、
前記コネクタ本体を収容し、一端に互いに隔てる収容溝を有する枠組みと、
湾曲部を有し枠組みの収容溝を貫通する曲線材及び該曲線材に対して概略垂直する操作レバーを含む駆動具と、
枠組みの収容溝を設けない他の一端に可動に取り付けられ、枠組みに対して回転でき、自由端に駆動具の湾曲部と係合する係止部を有し、該係止部により枠組みに係合される係合具と、を備え、
前記枠組みの収容溝に隣接する所に更に位置決め弾性片が設けられ、該位置決め弾性片の一端は枠組みに固着され、自由端は曲線材へ延伸され、電気コネクタが開放位置にある際に、該弾性片の弾性により曲線材が収容溝の最低位置に位置されることを特徴とする電気コネクタ組立体。
【請求項２】
前記枠組みの収容溝は細長い形に形成されていることを特徴とする請求項１に記載の電気コネクタ組立体。
【請求項３】
前記弾性片はプラスチックから作られてなり枠組みと一体に成形されていることを特徴とする請求項１に記載の電気コネクタ組立体。
【請求項４】
前記弾性片は金属から作られてなり、一端は枠組みに埋設されていることを特徴とする請求項１に記載の電気コネクタ組立体。
【請求項５】
前記弾性片の曲線材と対向する表面は滑らかな円弧面であることを特徴とする請求項３または４記載の電気コネクタ組立体。
【請求項６】
前記弾性片の曲線材と対向する表面は波状の両円弧面であり、該両円弧面は第１円弧面及び第２円弧面を含み、且つ該第１円弧面と第２円弧面との隣接する所に凸部が設けられていることを特徴とする請求項３または４記載の電気コネクタ組立体。
【請求項７】
前記電気コネクタ組立体が係合状態にある際に、弾性片の第２円弧面により曲線材は収容溝の最高位置に位置されていることを特徴とする請求項６記載の電気コネクタ組立体。
【請求項８】
複数の導電端子を有するコネクタ本体を収容し、一端に収容溝を有し、該収容溝に隣接する所に位置決め弾性片が延伸し設けられる枠組みと、
枠組みの収容溝を設けた一端に取り付けられ、曲線材を含み、該曲線材は枠組みの収容溝を貫通し、且つ弾性片は枠組みの自由端から遠く離れ曲線材へ延伸しその上に位置される駆動具と、
枠組みの収容溝を設けない他の一端に可動に取り付けられ、枠組みに対して回転でき、自由端に駆動具の湾曲部と係合する係止部が設けられ、該係止部により枠組みに係合される係合具と、を備え、
電気コネクタが開放状態にある際に、該弾性片により曲線材が収容溝の最低位置に位置されていることを特徴とする電気コネクタの係合装置。
【請求項９】
前記枠組みの収容溝は細長い形に形成されていることを特徴とする請求項８に記載の電気コネクタの係合装置。
【請求項１０】
前記弾性片はプラスチックから作られてなり枠組みと一体に成形されていることを特徴とする請求項８に記載の電気コネクタの係合装置。
【請求項１１】
前記弾性片は金属から作られてなり、一端は枠組みに埋設されていることを特徴とする請求項８に記載の電気コネクタの係合装置。
【請求項１２】
前記弾性片の曲線材と対向する表面は滑らかな円弧面であることを特徴とする請求項１０または１１記載の電気コネクタの係合装置。
【請求項１３】
前記弾性片の曲線材と対向する表面は波状の両円弧面であり、該両円弧面は第１円弧面及び第２円弧面を含み、且つ該第１円弧面と第２円弧面との隣接する所に凸部が設けられていることを特徴とする請求項１０または１１記載の電気コネクタの係合装置。
【請求項１４】
前記電気コネクタの係合装置が係合状態にある際に、弾性片の第２円弧面により、曲線材は収容溝の最高位置に位置されていることを特徴とする請求項１３記載の電気コネクタの係合装置。
【請求項１５】
前記駆動具は更に曲線材に対して概略垂直な操作レバーが設けられていることを特徴とする請求項８記載の電気コネクタの係合装置。
【発明の詳細な説明】
【０００１】
【発明の属する技術分野】
本発明は、電気コネクタ組立体に関し、特にＬＧＡチップモジュールを回路基板に固着し電気的に接続するために用いられる電気コネクタ組立体に関するものである。
【０００２】
【従来の技術】
従来の電気コネクタ組立体（非特許文献１及び特許文献１乃至特許文献５）は通常ＬＧＡチップモジュールを回路基板に電気的に接続するために用いられる。図１及び図２を参照すると、当該電気コネクタ組立体９は複数の導電端子（図示せず）を収容する薄板状のコネクタ本体９１及び固着部材を含む。固着部材はコネクタ本体９１を収容する矩形枠組み９２と、矩形枠組み９２の一側にピン継手されピン継手する辺を囲い枠組みに対して回転する係合具９３と、矩形枠組みの他の一側に取り付けられる駆動具９４と、を含む。該駆動具９４は湾曲部９４３を有する曲線材９４１及び該曲線材９４１に対して概略垂直な操作レバー９４２を含む。係合具９３のピン継手する辺から遠く離れた自由端に係止部９３１が設けられる。矩形枠組み９２の駆動具９４を取り付ける一側に収容溝９２２を有する２つの固着ブロック９２１が設けられ、駆動具９４の曲線材９４１は該収容溝９２２を貫通し、操作レバー９４２は枠組み９２の側壁９２３に隣接し外力により側壁９２３に対して０〜１８０度内で揺れる。操作レバー９４２が側壁９２３に対して１８０度に呈し湾曲部９４３が曲線材９４１の上方にあり即ち該電気コネクタ組立体９が開放状態にある際に、曲線材９４１は収容溝９２２の最低位置に位置され、チップモジュール（図示せず）はコネクタ本体９１に積み重ねられ、且つ該チップモジュールのピン（図示せず）は導電端子と導通し、係合具９３を閉じ、曲線材９４１の湾曲部９４３は係合具９３の係止部９３１に位置され、操作レバー９４２を回転し、曲線材９４１を収容溝９２２内に操作レバー９４２が側壁９２２に対して０度に呈する所に至って摺動させ、曲線材９４１は収容溝９２２の最高位置に位置され、この時、湾曲部９４３は曲線材９４１の下方に位置され且つ係合部９３１の底部に押圧され、係合具９３は枠組み９２に係止されチップモジュールはコネクタ本体９１に固着され、コネクタ端子により回路基板に電気的に接続する。しかし、前記電気コネクタ組立体９が開放位置にある際に、曲線材９４１は収容溝９２２の最低位置に位置されなく、収容溝９２２の他の位置に位置されることがあり、操作レバー９４２を回転し曲線材９４１を収容溝９２２内に摺動させ、曲線材９４１は収容溝９２２の最高位置に位置される際に、湾曲部９４３は曲線材９４１の下方に位置され且つ係合部９３１の底部に押圧されることはできず、且つ曲線材９４１は既に収容溝９２２の最高位置に位置されたことによって、続いて収容溝９２２内に摺動できず、操作レバー９４２は０〜１８０度のある位置に停滞され、係合具９３を枠組み９２に係止し且つＬＧＡチップモジュールをコネクタに固着することはできない。
【０００３】
従って、曲線材が収容溝内で連続的に摺動し、停滞状態を生じない電気コネクタ組立体を設計することが必要である。
【０００４】
【非特許文献１】
米国で２００１年２月に発行された雑誌「ＣＯＮＮＥＣＴＯＲ　ＳＰＥＣＩＦＩＥＲ」中の「Ｎｏｎｌｉｎｅａｒ　Ａｎａｌｙｓｉｓ　Ｈｅｌｐｓ　Ｄｅｓｉｇｎ　ＬＧＡ　Ｃｏｎｎｅｃｔｏｒｓ」という文章
【特許文献１】
米国特許第５３４４３３４号明細書
【特許文献２】
米国特許第５３０２８５３号明細書
【特許文献３】
米国特許第４６８２７９０号明細書
【特許文献４】
米国特許第４６２１８８４号明細書
【特許文献５】
米国特許第４５０４１０５号明細書
【０００５】
【発明が解決しようとする課題】
本発明は、電気コネクタ組立体を提供し、特に開放操作及び係合操作を有効に完了できる固着部材を有する電気コネクタ組立体を提供することを目的とする。
【０００６】
【課題を解決するための手段】
本発明の電気コネクタ組立体は複数の導電端子（図示せず）を収容するコネクタ本体及び固着部材を含む。固着部材はコネクタ本体を収容する矩形枠組みと、矩形枠組みの一側にピン継手されピン継手する辺を囲い枠組みに対して回転する係合具と、矩形枠組みの他の一側に取り付けられ係合具と係合する駆動具と、を含む。該駆動具は湾曲部を有する曲線材及び該曲線材に対して概略垂直な操作レバーを含む。矩形枠組みの駆動具を取り付ける一側に曲線材が貫通するための収容溝を有する固着ブロックが設けられる。枠組みの固着ブロックと隣接する所に位置決め弾性片が設けられ、該弾性片の一端は枠組みに固着され、他の一端は曲線材上に懸垂される。該弾性片により電気コネクタ組立体が開放状態にある際に、曲線材が収容溝の最低位置に位置されることを確保する。
【０００７】
【発明の実施の形態】
本発明の電気コネクタ組立体１はＬＧＡチップモジュール（図示せず）を回路基板（図示せず）に固着し電気的に接続するために用いられ、図３及び図４を参照すると、複数の導電端子（図示せず）を収容する薄板状のコネクタ本体２及び固着部材を含む。固着部材はコネクタ本体２を収容する矩形枠組み３と、矩形枠組み３の一側にピン継手されピン継手する辺を囲い枠組み３に対して回転する係合具４と、矩形枠組み３の他の一側に取り付けられ係合具４と係合する駆動具５と、を含む。
【０００８】
前記駆動具５は湾曲部５１１を有する曲線材５１及び該曲線材５１に対して概略垂直な操作レバー５２を含む。該湾曲部５１１の軸線は曲線材５１の軸線と外れ且つ操作レバー５２に対して概略垂直に形成される。
【０００９】
係合具４のピン継手する辺から遠く離れた自由端に係止部４１が設けられ、該係止部４１は自由辺の辺縁から前方へ延伸して形成され且つ凹部４１１を有し、該凹部４１１は駆動具５の湾曲部５１１の一部を収容する。
【００１０】
前記枠組み３の中央部にコネクタ２を収容するための概略矩形の空間が形成される。該枠組み３の一側に係合具４とピン継手する結構が設けられ、相対する他の一側に一定の間隔が有する２つの固着ブロック３１が設けられ、該固着ブロック３１に細長い収容溝３１１が設けられ、駆動具５の曲線材５１は該収容溝３１１を貫通し且つ湾曲部５１１は２つの固着ブロック３１の間に位置され、この時、操作レバー５２は矩形枠組み３の外側に位置され、且つ外力により枠組み３に対して平行な位置と垂直な位置との間で揺れる。該矩形枠組み３の固着ブロック３１に隣接する内側に舌状の位置決め弾性片３２がそれぞれ設けられ、該弾性片３２の一端は矩形枠組み３に固着され且つ自由端は固着端から延伸され駆動具５の曲線材５１上に懸垂され、該弾性片３２の曲線材５１と対向する表面３２１は滑らかな円弧面である。
【００１１】
図５及び図６を参照すると、電気コネクタ組立体１が開放位置にある際に、曲線材５１は収容溝３１１の最低位置に位置され、弾性片３２は弾性変形を生じないか又は一番小さい弾性変形を有し、曲線材５１が他の位置に位置される際に、弾性片３２は比較的大きな弾性変形を生じ且つ収容溝３１１に沿って下方へ作用力を生じ、該作用力により曲線材５１は収容溝３１１に沿って下方へ摺動し収容溝３１１の最低位置に至って、弾性片３２の支持作用により開放位置にある際に、曲線材５１は収容溝３１１の最低位置に位置されるしかなく、操作レバー５２が係合位置へ回転する際に、曲線材５１は収容溝３１１に最低位置から収容溝３１１の最高位置へ摺動し、湾曲部５１１は曲線材５１の下方に回転し凹部４１１の底面に押圧され、係合具４は枠組み３に係合され、ＬＧＡチップモジュールはコネクタに固着されることになる。
【００１２】
図７を参照すると、本発明の第２実施の形態の電気コネクタ組立体１’は他の結構が第１実施の形態と同じ、弾性片３２’の曲線材５１’と対向する表面３２１’だけが波状の両円弧面であり、該表面３２１’の両円弧面の隣接する所に凸部３２２’が形成される。図８及び図９を併せて参照すると、電気コネクタ組立体１’が開放位置にある際に、曲線材５１’は第１円弧により収容溝３１１’の最低位置に位置される。係合具４’を回転し、曲線材５１’の湾曲部５１１’は係合具４’の係止部４１’の凹部４１１’に位置され、操作レバー５２’を駆動し、曲線材５１’は収容溝３１１’に沿って上方へ摺動し、この時、弾性片３２’の弾性変形が絶えず大きくなり、曲線材５１’が凸部３２２’に位置される際に、弾性変形が最大になり、続いて操作レバー５２’を駆動し、曲線材５１’は収容溝３１１’に沿って摺動し、曲線材５１’が第２円弧面に至って摺動し、弾性片３２’の弾性変形が絶えず小さくなり、湾曲部５１１’が曲線材５１’の下方に位置され凹部４１１’の底部に押圧される際に、弾性片３２’は弾性変形を生じないかまたは第２弾性面内に一番小さい弾性変形を生じ、この時、曲線材５１’は第２円弧面により収容溝３１１’の最高位置に位置される。
【００１３】
前記実施の形態は単なる本発明のより良い実施の形態であって、本発明の請求範囲を限定するものではなく、当業者が本発明に基づいてなしうる細部の修正或は変更などは、いずれも本発明の特許請求の範囲に属する。
【図面の簡単な説明】
【図１】従来の電気コネクタ組立体の分解斜視図である。
【図２】従来の電気コネクタ組立体の組立斜視図である。
【図３】本発明の電気コネクタ組立体の分解斜視図である。
【図４】本発明の電気コネクタ組立体が係合状態にある組立斜視図である。
【図５】図４のＶ−Ｖ線方向に沿う局部拡大図である。
【図６】図５に似ているが、電気コネクタ組立体が開放状態にある局部拡大図である。
【図７】本発明の第２実施の形態の電気コネクタ組立体が係合状態にある組立斜視図である。
【図８】図７のＶＩＩＩ−ＶＩＩＩ線方向に沿う局部拡大図である。
【図９】図８に似ているが、電気コネクタ組立体が開放状態にある局部拡大図である。
【符号の説明】
１、１’　電気コネクタ組立体
２　コネクタ
３　枠組み
４、４’　係合具
５　駆動具
３１　固着ブロック
３２、３２’　弾性片
４１、４１’　係止部
５１、５１’　曲線材
５２、５２’　操作レバー
３１１、３１１’　収容溝
３２１、３２１’　表面
３２２’　凸部
４１１、４１１’　凹部
５１１、５１１’　湾曲部
【図１】
2004063452.tif 000003
【図２】
2004063452.tif 000004
【図３】
2004063452.tif 000005
【図４】
2004063452.tif 000006
【図５】
2004063452.tif 000007
【図６】
2004063452.tif 000008
【図７】
2004063452.tif 000009
【図８】
2004063452.tif 000010
【図９】
2004063452.tif 000011